(57)【要約】【課題】合成樹脂製の透光性カバーを用いたにもかかわらず、光源の破裂に際し、安全性の高い照明器具及び照明装置を提供することを目的とする。【解決手段】本発明は、光源６を支持するとともに下方側に開口部３が設けられた本体ケース１と、前記光源６を覆うように前記開口部３に配設された合成樹脂製の透光性カバー４と、透光性カバー４内の前記光源６の直下の位置に設けられた耐熱性受部材１０とを備えることを特徴とする照明器具である。【選択図】図２
2009170321.tif 000002
【特許請求の範囲】
【請求項１】
光源を支持するとともに下方側に開口部が設けられた本体ケースと;
前記光源を覆うように前記開口部に配設された合成樹脂製の透光性カバーと；
透光性カバー内の前記光源の直下の位置に設けられた耐熱性受部材と；
を具備していることを特徴とする照明器具。
【請求項２】
前記透光性カバーは、開口部に対向する上方側が拡開するテーパ状をなしており、かつ受部材は皿状で、その側縁部が前記透光性カバーのテーパ状部分と連続した面を形成するように構成されていることを特徴とする請求項1記載の照明器具。
【請求項３】
前記受部材には、水抜き穴が形成されていることを特徴とする請求項1又は請求項２記載の照明器具。
【請求項４】
請求項１乃至請求項３のいずれか一記載の照明器具と；
上端が前記照明器具の前記受部材と対向するように前記照明器具が取付けられる鉛直方向に立設された支柱と；
を具備していることを特徴とする照明装置。
【発明の詳細な説明】
【技術分野】
【０００１】
本発明は、街路灯や道路灯等に適用される照明器具及び照明装置に関する。
【背景技術】
【０００２】
一般的に、街路灯等は、道路や街路等の側方に立設された中空状のポールの上方に照明器具を取付け、光源を点灯し照明を行っている。この種、街路灯等にあっては、照明器具内に水気や塵埃等が浸入するのを防止するため、その投光開口部を透光性カバーで覆っている。また、透光性カバーは、重量、強度、製造性、材料費等の観点で合成樹脂材料を用いるのが有利であることから、透光性カバーを合成樹脂製としたものが知られている（例えば、特許文献１参照）。
【特許文献１】特開平１０−３１２７１０号公報
【発明の開示】
【発明が解決しようとする課題】
【０００３】
しかしながら、光源の点灯中、寿命末期における点灯装置の故障や光源の内圧の上昇、光源を構成する各部品の熱膨張率の差、過大な衝撃が加わる等の種々の原因から、光源が破裂する可能性がある。例えば、光源が高圧放電ランプの場合には、このランプが破裂すると、ガラス破片や電極部品等が飛散し、合成樹脂製の透光性カバーに接触、付着する。特に、光源が下方へ向くように器具本体の上方側に取付けられ、この光源を覆うように器具本体の下方側にカバーが配設される照明器具の場合は、光源の直下方向にカバーが位置することになるため飛散した高温状態の破片等が透光性カバーの下方部分に集まり、その熱によって、カバーの下方部分が溶解又は発火し、ひいては延焼する事態に至ることがある。さらに、光源として高圧放電ランプを用いる場合には、発光管の温度が高く(約８００℃〜１０００℃)、これが外管とともに破裂したときの安全策を講じる必要がある。
【０００４】
そこで、本発明は、上記問題点に鑑みなされたもので、合成樹脂製の透光性カバーを用いたにもかかわらず、光源の破裂に際し、安全性の高い照明器具及び照明装置を提供することを目的とする。
【課題を解決するための手段】
【０００５】
請求項１記載の照明器具は、光源を支持するとともに下方側に開口部が設けられた本体ケースと;前記光源を覆うように前記開口部に配設された合成樹脂製の透光性カバーと；  透光性カバー内の前記光源の直下の位置に設けられた耐熱性受部材と；を具備していることを特徴とする。光源は、セラミックメタルハライドランプ等の高圧放電ランプ、蛍光ランプ、ハロゲンランプ等、いずれでも適用できる。合成樹脂製の透光性カバーは、発明の性質上、透光性を有し、耐熱性を有していない合成樹脂材料で構成されていることを意味する。光源の直下の位置とは、光源と受部材との間に介在物がなく、ガラス破片等を受けることができる位置関係を意味する。
【０００６】
請求項２記載の照明器具は、請求項１記載の照明器具において、前記透光性カバーは、開口部に対向する上方側が拡開するテーパ状をなしており、かつ受部材は皿状で、その側縁部が前記透光性カバーのテーパ状部分と連続した面を形成するように構成されていることを特徴とする。
【０００７】
請求項３記載の照明器具は、請求項１記載又は請求項２記載の照明器具において、前記受部材には、水抜き穴が形成されていることを特徴とする。
【０００８】
請求項４記載の照明装置は、請求項１乃至請求項３のいずれか一記載の照明器具と；
【０００９】
上端が前記照明器具の前記受部材と対向するように前記照明器具が取付けられる鉛直方向に立設された支柱と；を具備していることを特徴とする。支柱は、照明器具と地中内に立設されるポールとの間に介在するものであってもよいし、ポール自体であってもよい。要は、照明器具を支える部材を意味している。
【発明の効果】
【００１０】
請求項１の発明によれば、光源を支持した本体ケースの下方側の開口部に配設される透光性のカバーが合成樹脂製であっても、光源の直下に耐熱性受部材を配設したので、光源の破裂に際し、飛散した破片等によってカバーが熱的に損傷されることを防ぐことができ、安全性の高い照明器具を提供することが可能となる。
【００１１】
請求項２の発明によれば、透光性カバーは、テーパ状をなしており、かつ受部材は、その側縁部が透光性カバーのテーパ状部分と連続した面を形成するように構成されているので、飛散した破片等が耐熱性受部材へ円滑に移動し、安全性を高めることができる。
【００１２】
請求項３の発明によれば、水抜き穴によって水が滞留することなく、排出され、穴の径を所定の大きさに設定すれば、飛散した破片等を通過し難くすることができる。
【００１３】
請求項４の発明によれば、受部材が光源から照射される光の障害物とならない照明装置を提供することができる。
【発明を実施するための最良の形態】
【００１４】
以下、本発明の照明器具及び照明装置の実施形態について図１乃至図４を参照して説明する。図１は、ポールヘッドタイプと呼ばれる街路灯の側面図、図２は、同主要部を断面して示す側面図、図３は、受部材を拡大して示す断面図、図４（ａ）（ｂ）は、受部材を示す概略的上面図及び側面図である。図１において、街路灯は、本体ケース１と、この本体ケース１が取付けられる支柱２とを備えている。本体ケース１内には、下方に向けて光源が支持されるように収容されており、また、本体ケース１の下方側には投光開口部３が設けられている。光源から放射された光は、この投光開口部３を通じて、所望の配光が得られるように照射される。そして、支柱２は、ポール３の上端に連結固定され、本体ケース１は、ポール３の先端側の直上に位置するように支柱２の上方に取付けられている。さらに、本体ケース1には、投光開口部３に向かって、すなわち、上側に向かって拡開したテーパ状をなす略円錐体形状の透光性カバー４と、ルーバ５等が設けられている。
【００１５】
次に、図２において、本体ケース１は、アルミダイカスト製の基体部１ａと蓋体部１ｂとから構成されている。基体部１ａと蓋体部１ｂとは、ヒンジ１１により連結されており、基体部１ａは蓋体部１ｂに対して、ヒンジ１１を中心として上側に回動して開くようになっている。基体部１ａは、下面が開放されたドーム状をなし、光源としてセラミックメタルハライドランプ６が設けられている。ランプ６は、基体部１ａの内面にねじ止めされたランプ支持ソケット７により支持されている。ランプ６は、このランプ支持ソケット７に下向きに取付けられる。また、ランプ支持ソケット７には、ルーバ５の支持桿５ａが垂下して取付けられている。そして、この支持桿５ａには、複数の傘状のルーバ５が一定間隔を空けて取付けられている。ルーバ５は、内面に白色塗装が施されており、ランプ６からの光を下方へ反射するとともに上方への光の漏れを抑制する機能を有する。
【００１６】
蓋体部１ｂはほぼ円形浅皿状の形体をなし、この蓋体部１ｂの投光開口部３には上側に向かって拡開したテーパ状をなす略円錘体形状の透光性カバー４がパッキンを介してねじ止めされている。透光性カバー４の底壁４ａは円形状で平坦面をなしており、この底壁４ａは、支柱２の上端２ｃと対接している。また、透光性カバー４は、合成樹脂として透明性の高いアクリル樹脂で成形されており、ランプ６、ルーバ５等を覆い、本体ケース１内に水気や塵埃等が浸入するのを阻止するようになっている。
【００１７】
支柱２は、３本の支持アーム２ａとポール受け部２ｂとから構成されている。３本の支持アーム２ａは、中空状であり、ポール受け部２ｂの上部に各々約１２０度の角度をおいて上方に拡開するように固着されている。ポール受け部２ｂは、中空円筒状であり、ポール３の上端が挿入されて、ポール３に固定されるようになっている。また、このポール受け部２ｂには、ランプ６を点灯する点灯装置９が収納されている。
【００１８】
本体ケース１の支持アーム２ａへの取付けは、各支持アーム２ａの上端部に蓋体部１ｂの下側面を当接し、蓋体部１ｂの内側からねじによって固定することにより行われる。また、ランプ６と点灯装置９とを接続するリード線は、蓋体部１ｂに形成されたリード線通過孔、支持アーム２ａの中空部を経て配線される。
【００１９】
次に、透光性カバー４内の底壁４ａには、皿状の耐熱性受部材１０が配設されている。この受部材１０は、アルミニウム等の金属製であり、ランプ６の直下に位置される。なお、受部材１０は、金属製が好ましいが耐熱性のものであれば他の材料を用いてもよい。
【００２０】
さらに、図３及び図４を参照して、受部材１０について説明を加える。まず、透光性カバー４の底壁４ａの外周壁には、環状の嵌合リブ４ｂが形成されている。そして、この嵌合リブ４ｂは、支柱２、すなわち、ポール受け部２ｂの上端２ｃと嵌合し、対接している。このような構成において、前記底壁４ａに受部材１０が接着等の手段により取付けられている。受部材１０は底壁１０ａが円形状であり、この底壁１０ａの側縁部から、側壁１０ｂが起立するように上方へ向かって拡開するテーパ状をなして形成されている。つまり、受部材１０は、前記透光性カバー４の底壁４ａ内面形状に沿うような形状に形成されている。したがって、透光性カバー４と側壁１０ｂのテーパは、その勾配がほぼ同じであり、具体的には、透光性カバー４の内壁と側壁１０ｂの内壁とは連続した面を形成するように構成されている。
【００２１】
また、受部材１０の底壁１０ａのほぼ中央には、水抜き穴１０ｃが形成されており、この水抜き穴１０ｃは、透光性カバー４の底壁４ａに形成された水抜き穴４ｃと連通するようになっている。本体ケース１内に水気や塵埃等が浸入するのを阻止するように透光性カバー４が設けられているが、完全な密閉状態ではないため、本体ケース１内に水滴等が付着する場合があり、水抜き穴１０ｃは、これら水気を滞らせることなく、ケース本体１外に排出させることができるものである。なお、前記水抜き穴１０ｃの寸法は、ガラス破片等が通過しない程度の大きさに設定されている。具体的には、φ３．０ｍｍ〜６．０ｍｍ程度である。つまり、水は通過するが、ガラス破片等は通過し難い所定の寸法に設定されている。
【００２２】
次に、仮に、ランプ６が破裂した場合の作用を説明する。セラミックメタルハライドランプ６が発光管、外管とともに破裂すると、高温のガラス破片等が飛散する。この破片等が水平方向に飛散した場合は、一時的に透光性カバー４の内面に衝突するが、自重によって下方に落下する。そして、カバー４の下方には、受部材１０がランプ６の直下に設けられているのでガラス破片等は、受部材１０によって受けられる。また、ガラス破片等は、透光性カバー４のテーパ状部に案内され、さらに受部材１０の側壁１０ｂのテーパ状部により、受部材１０に集められる。つまり、ガラス破片等は、底壁１０ａと側壁１０ｂとで構成される受部材１０内に受容される。この場合、受部材１０はアルミニウム製であり、高温のガラス破片等が接触、付着しても溶解、発火して燃えるようなことはない。
【００２３】
以上のように本実施形態によれば、ランプ６の直下に受部材１０を設けたので、ランプ６の破裂に伴い落下するガラス破片等を受部材１０で受けることができ、安全性を高めることが可能となる。さらに、透光性カバー４のテーパ状部と受部材１０の側壁１０ｂのテーパ状部とは、連続した面を形成しているので、ガラス破片等を受部材１０に集められる確実性が高まる。また、受部材１０は、支柱２の上端２ｃと対向する位置に設けられているので、ランプ６からの光の照射の障害となることがない。さらにまた、水抜き穴１０ｃにより水気を滞らせることなく、ケース本体１外に排出させることができる。
【００２４】
なお、上記実施形態では、受部材１０を透光性カバー４の底壁４ａに設けたものについて説明したが、受部材を網状に形成し、これをルーバ５の最下方に位置するように支持桿５ａに取付けるようにしてもよい。さらに、ポールヘッドタイプと呼ばれる街路灯を取上げて説明してきたが、いわゆるアームタイプと呼ばれるポールの上端から水平方向にアームを延ばし、その先端に照明器具を取付けるタイプの街路灯にも適用可能である。
【図面の簡単な説明】
【００２５】
【図１】本発明の照明装置の実施形態を示す側面図である。
【図２】同主要部を断面して示す側面図である。
【図３】同受部材を拡大して示す断面図である。
【図４】同受部材を示す概略的上面図及び側面図である。
【符号の説明】
【００２６】
１・・・本体ケース、２・・・支柱、３・・・開口部、４・・・透光性カバー、６・・・光源、１０・・・受部材、１０ｃ・・・水抜き穴  
【図１】
2009170321.tif 000003
【図２】
2009170321.tif 000004
【図３】
2009170321.tif 000005
【図４】
2009170321.tif 000006